(57)【要約】【課題】  かご内ファンを長期間停止したまま放置してゴミやほこりなどが溜まってしまった状態のときにかご内ファンをいきなり運転して、乗り合わせた乗客に溜まっていたゴミやほこりなどをかけてしまい乗客に不快な思いをさせることなくかご内ファンを運転するエレベーター用かご内ファンの制御装置を提供する。【解決手段】  かご内ファン５の運転要求を検知した場合には、エレベーターの運転状態が所定時間（例えば３分間）以上休止状態を継続するまで待機し、所定時間（例えば３分間）以上休止状態が継続したことを確認してかご内ファン５を運転する手段を設けた。【選択図】図３
2005255371.tif 000002
【特許請求の範囲】
【請求項１】
かごに設置されたファンの運転を制御するファン運転制御手段を備えたエレベーター用かご内ファンの制御装置において、前記かご内ファンの運転要求を検知したときに、前記エレベーターの休止状態が予め定められた時間以上継続したことを確認するとともに、前記かご内ファンの運転を開始することを特徴とするエレベーター用かご内ファンの制御装置。
【発明の詳細な説明】
【技術分野】
【０００１】
この発明は、乗客に不快感を与えることなくかご内ファンを運転するエレベーター用かご内ファンの制御装置に関するものである。
【背景技術】
【０００２】
従来、エレベーター用かご内ファンの運転は、かご内に設けたファン専用スイッチを、ビル管理人あるいはエレベーターの保守員が投入することで行うものであった。また、遠隔監視センターから運転指令を送信してエレベーター用かご内ファンを運転するものが提案されている（例えば、特許文献１参照）。
【０００３】
さらに、所定時間継続して乗場又はかご内で呼びが登録されない状態で、環境センサ（例えば温度センサ又は湿度センサ）が動作していると、呼び登録とは関係なく、例えば出勤時間帯の開始時刻になると、かご内ファンを運転し、出勤時間帯の終了時刻になると、かご内ファンを停止するものが提案されている（例えば、特許文献２参照）。
【０００４】
【特許文献１】特開２００２−２００６０号公報（第２頁、第３頁）
【特許文献２】特開２００３−１３７４８１号公報（第２頁、第３頁、図３）
【発明の開示】
【発明が解決しようとする課題】
【０００５】
しかしながら、上記従来技術においては、かご内ファンを季節により（例えば冬季期間などに）長期間停止したまま放置することによりゴミやほこりなどが溜まってしまい、このような状態のときにかご内ファンをいきなり運転すると、乗り合わせた乗客に溜まっていたゴミやほこりなどをかけてしまい乗客に不快な思いをさせてしまうという問題があった。
【０００６】
この発明は、乗客に不快感を与えることなくかご内ファンを運転するエレベーター用かご内ファンの制御装置を提供することを目的とする。
【課題を解決するための手段】
【０００７】
この発明に係るエレベーター用かご内ファンの制御装置は、かご内ファンの運転要求を検知したときに、エレベーターの休止状態が予め定められた時間以上継続したことを確認するとともに、かご内ファンの運転を開始する手段を備えた。
【発明の効果】
【０００８】
この発明は、かご内ファンを長期間停止したまま放置することにより、ゴミやほこりなどが溜まってしまった状態のときにかご内ファンをいきなり運転して、乗り合わせた乗客に溜まっていたゴミやほこりなどをかけてしまい、乗客に不快な思いをさせてしまうことなくかご内ファンを運転するエレベーター用かご内ファンの制御装置を提供することができる。
【発明を実施するための最良の形態】
【０００９】
図１は、この発明の実施の形態に係るエレベーター用かご内ファンの制御装置の全体構成図である。図１に示すように、かご１内の換気や冷房を行うためにかご１の上部にかご内ファン５が設けられ、遠隔監視センター２からエレベーター制御装置３にかご内ファン５を制御する信号を送信する。そして、遠隔監視センター２からのかご内ファン５の制御信号は、エレベーター制御装置３を経由してかご内ファン制御装置４に出力される。さらに、かご内ファン制御装置４はかご内ファン５の運転・停止を制御する。
【００１０】
図２は、この発明の実施の形態に係るエレベーター用かご内ファンの制御装置のブロック構成図である。図２に示すように、１１は、エレベーターの呼び登録などの運転状態をエレベーター制御装置３から入力し、エレベーターの運転状態を判定する運転状態判定手段であり、１２は、例えばかご内１に設けられたかご内ファン運転スイッチ（図示せず）が操作された場合に出力される、ファン運転指令６やファン停止指令７を入力したり、運転状態判定手段１１からエレベーターの運転状態判定信号や、遠隔監視センター２からのかご内ファン５の制御信号を入力してかご内ファン５を運転制御するファン運転制御手段である。
【００１１】
図３は、この発明の実施の形態に係るエレベーター用かご内ファンの制御装置の制御内容を説明するフローチャートである。このフローチャートで示す制御プログラムはかご内ファン制御装置に実装される。図３に示すフローチャートを参照して動作を説明する。まず、ステップＳ２１で、例えば遠隔監視センター２からかご内ファン５の制御信号により、かご内ファン５の運転・停止要求があるか否かを判定する。そして、かご内ファン５の運転・停止要求がない場合はステップＳ２６へ進み、かご内ファン５の現状の運転状態（運転または停止）を継続して動作を終了する（ステップＳ２１→ステップＳ２６→ＥＮＤ）。
【００１２】
ここで、ステップＳ２１で、かご内ファン５の運転・停止要求がある場合はステップＳ２２へ進み、かご内ファン５の運転要求か否かを判定する。そして、かご内ファン５の運転要求ではない場合（すなわち停止要求の場合）はステップＳ２５へ進み、かご内ファン５を直ちに停止させて動作を終了する（ステップＳ２２→ステップＳ２５→ＥＮＤ）。
【００１３】
また、ステップＳ２２でかご内ファン５の運転要求と判定した場合にはステップＳ２３へ進む。そして、ステップＳ２３で運転状態判定手段１１により、エレベーターの運転状態が所定時間（例えば３分間）以上休止状態が継続するまで待機し、所定時間（例えば３分間）以上休止状態が継続したことを確認してステップＳ２４へ進む。ここで休止状態とは例えばエレベーターの呼び登録がない状態とする。
【００１４】
次に、ステップＳ２４でかご内ファン５を運転させて動作を終了する（ステップＳ２３→ステップＳ２４→ＥＮＤ）。
【００１５】
以上のように、エレベーターが所定時間以上休止状態を継続するまで待機し、所定時間以上休止状態が継続したことを確認してかご内ファン５を運転させることにより、かご内ファンを長期間停止したまま放置してゴミやほこりなどが溜まってしまった状態のときにかご内ファンをいきなり運転して、乗り合わせた乗客に溜まっていたゴミやほこりなどをかけてしまい乗客に不快な思いをさせることなくエレベーターを利用できる。
【図面の簡単な説明】
【００１６】
【図１】この発明の実施の形態に係るエレベーター用かご内ファンの制御装置を示す全体構成図である。
【図２】この発明の実施の形態に係るエレベーター用かご内ファンの制御装置のブロック構成図である。
【図３】この発明の実施の形態に係るエレベーター用かご内ファンの制御装置の制御内容を説明するフローチャートである。
【符号の説明】
【００１７】
１  かご、  ２  遠隔監視センター、  ３  エレベーター制御装置、  ４  かご内ファン制御装置、  ５  かご内ファン、  ６  ファン運転指令、  ７  ファン停止指令、１１  運転状態判定手段、１２  ファン運転制御手段、
【図１】
2005255371.tif 000003
【図２】
2005255371.tif 000004
【図３】
2005255371.tif 000005